(57)【要約】【課題】防塵カバーの機能を損ねることなくナローガイド用操作レバーを配置する。【解決手段】  分草後の穀稈を引き起す引起し装置９と引起し後の穀稈を刈り取る刈取装置１０と刈取後の穀稈を後方の脱穀部３まで搬送する搬送装置１２からなる刈取部４を備えたコンバインにおいて、運転席５の側方に前記搬送装置１２の上方を覆う開閉自在な防塵カバー３１を設け、刈取部４の未刈地側の横側部には、外側方に張り出す分草作用姿勢と機体側に収納する収納姿勢とに切替可能なナローガイド１６を設け、該ナローガイド１６を操作ワイヤ２２等の連携手段で遠隔操作する操作レバー１８を防塵カバー３１で覆う収納状態に配置する。【選択図】      図７
2017175995.tif 000002
【特許請求の範囲】
【請求項１】
分草後の穀稈を引き起す引起し装置（９）と引起し後の穀稈を刈り取る刈取装置（１０）と刈取後の穀稈を後方の脱穀部（３）まで搬送する搬送装置（１２）からなる刈取部（４）を備えたコンバインにおいて、運転席（５）の側方に前記搬送装置（１２）の上方を覆う開閉自在な防塵カバー（３１）を設け、刈取部（４）の未刈地側の横側部には、外側方に張り出す分草作用姿勢と機体側に収納する収納姿勢とに切替可能なナローガイド（１６）を設け、該ナローガイド（１６）を操作ワイヤ（２２）等の連携手段で遠隔操作する操作レバー（１８）を防塵カバー（３１）で覆われる位置に配置した ことを特徴とするコンバイン。
【請求項２】
前記刈取部（４）のフレームに固定の前防塵カバー（３０）とこの前防塵カバー（３０）に重合すべく開閉自在な後防塵カバー（３１）を備え、操作レバー（１８）を後防塵カバー（３１）で覆われる位置 に配置し、操作レバー（１８）を支持するレバーブラケット（２３）と、操作レバー（１８）とナローガイド（１６）を連携する操作ワイヤ（２２）の一部とを前防塵カバー（３０）又は後防塵カバー（３１）で覆われるように設けたことを特徴とする請求項1に記載のコンバイン。
【請求項３】
前記操作レバー（１８）の回動操作方向を上下方向とした請求項１又は請求項２に記載のコンバイン。
【請求項４】
前記操作レバー（１８）を支持するレバーブラケット（２３）は、前防塵カバー（３０）を支持するカバー支持フレーム（３２）に連結支持されたことを特徴とする請求項２に記載のコンバイン。
【発明の詳細な説明】
【技術分野】
【０００１】
本発明は、ナローガイドを備えたコンバインに関する。
【背景技術】
【０００２】
従来、例えば、刈取部の未刈地側横側部に、外側方へ張り出す分草作用姿勢と機体側へ収納する収納姿勢とに切替可能なナローガイドを設け、運転操作部の近くに設けられた操作レバーの操作により、ナローガイドを分草作用姿勢と収納姿勢とに切替遠隔操作できるように構成し、そして、操作レバーとナローガイドとを連係する操作ワイヤを、刈取搬送部を支持し上下動可能に軸支された前後方向の刈取縦フレームに沿わせて設けたり（特許文献１）、ナローガイドと運転部近くに配置した操作レバーとを連携する操作ワイヤ等の連携手段を、刈取穀稈を搬送する搬送経路の上方に配策する構成がある（特許文献２）。
【先行技術文献】
【特許文献】
【０００３】
【特許文献１】特開２００７−１７４９５５号公報
【特許文献２】特開２０１０−４８４３号公報
【発明の概要】
【発明が解決しようとする課題】
【０００４】
上記特許文献１において、ナローガイドを張り出し姿勢又は収納姿勢に遠隔操作する操作レバーを、運転席の側方において刈取り部を支持する刈取縦フレームを利用して設ける場合は、刈取部の上面を覆う防塵カバー自体の配置を制約する。
【０００５】
また特許文献２においては運転席の左側を囲う側壁部と刈取部の上面を覆う防塵カバーの内側壁部との間に形成する空間部に配置されるものである。したがって、操作レバーは運転席の側方に配置されるが、特に特許文献２における構成では前記空間部を形成するため、この隙間からわら屑類が吹き上がり防塵カバーを構成してもその機能を十分に果たし得ない欠点がある。
【０００６】
本発明は、上記に鑑み、防塵カバーの機能を損ねることなく操作レバーの操作を容易化しようとする。
【課題を解決するための手段】
【０００７】
この発明は、上記課題を解決すべく次のような技術的手段を講じた。
【０００８】
即ち、請求項１に記載の発明は、分草後の穀稈を引き起す引起し装置９と引起し後の穀稈を刈り取る刈取装置１０と刈取後の穀稈を後方の脱穀部３まで搬送する搬送装置１２からなる刈取部４を備えたコンバインにおいて、運転席５の側方に前記搬送装置１２の上方を覆う開閉自在な防塵カバー３１を設け、刈取部４の未刈地側の横側部には、外側方に張り出す分草作用姿勢と機体側に収納する収納姿勢とに切替可能なナローガイド１６を設け、該ナローガイド１６を操作ワイヤ２２等の連携手段で遠隔操作する操作レバー１８を防塵カバー３１で覆われる位置に配置したことを特徴とするコンバインとする。
【０００９】
ナローガイド１６を外側方に張り出す分草作用姿勢と機体側に収納する収納姿勢とに切り替える操作レバー１８を操作するときは、防塵カバー３１を開き状態として行う。閉じ状態では防塵カバー３１内に収容され、刈取作業中などでは操作レバー１８は収容される。
【００１０】
請求項２に記載の発明は、請求項１に記載の発明において、前記刈取部４のフレームに固定の前防塵カバー３０とこの前防塵カバー３０に重合すべく開閉自在な後防塵カバー３１を備え、操作レバー１８を後防塵カバー３１で覆われる位置に配置し、操作レバー１８を支持するレバーブラケット２３と、操作レバー１８とナローガイド１６を連携する操作ワイヤ２２の一部とを前防塵カバー３０又は後防塵カバー３１で覆われるように設けたことを特徴とする。
【００１１】
操作ワイヤ２２の配策は、操作レバー１８を支持するレバーブラケット２３と下方のナローガイド１６連動部とに渡って設ける。
【００１２】
請求項３に記載の発明は、請求項１または請求項２に記載の発明において、前記操作レバー１８の回動操作方向を上下方向とした。
【００１３】
操作レバー１８を下方又は上方に回動操作するとナローガイド１６を側方に張り出す分草作用姿勢に連動し、上方又は下方に回動操作すると機体側に収納する収納姿勢に連動する。
【００１４】
請求項４に記載の発明は、請求項２に記載の発明において、前記操作レバー１８を支持するレバーブラケット２３は、前防塵カバー３０を支持するカバー支持フレーム３２に連結支持される。
【００１５】
カバー支持フレーム３２及び操作レバー１８は、メンテナンス時に、刈取部４を昇降調整しあるいは刈取部を車台に対して縦軸回りに回動させる所謂刈取部開放オープンした場合に、刈取部４本体に連動する。
【発明の効果】
【００１６】
請求項１に記載の発明によれば、防塵カバーと運転席のサイドカバーとの間に操作レバー１８を配置するための隙間を確保する必要がなく、極力防塵カバー３１を運転席５側に寄せることができ上記隙間を生じないためわら屑や塵埃の飛散防止の効果が高まる。
【００１７】
請求項２に記載の発明によれば、操作ワイヤ２２の配策は、前防塵カバー３０の下方を通過させる必要があるが、防塵カバー３０，３１の下面に操作レバー１８やレバーブラケット２３を配置するから操作ワイヤを防塵カバー３０，３１の外側から内側に迂回させる必要がなく、操作ワイヤ２２の配策作業やメンテナンスが容易である。
【００１８】
請求項３に記載の発明によると、操作レバー１８の操作方向を上下方向に設定するから、運転席５からの操作の際、レバーへ荷重を伝え易く、操作を容易化できる。
【００１９】
請求項4に記載の発明によれば、メンテナンス時に、操作レバー１８をカバー支持フレーム３２からいちいち取り外す必要がなく、作業を効率的に行うことができる。
【図面の簡単な説明】
【００２０】
【図１】コンバインの正面図である。
【図２】コンバインの平面図である。
【図３】刈取部の側面図である。
【図４】ナローガイド及び連携部材の分解斜視図である。
【図５】ナローガイドの開閉連携状態を示す作用説明図（Ａ）、及びレバーブラケット一部の背面図（Ｂ）である。
【図６】防塵カバー及び操作レバーの配置を示す側面図である。
【図７】防塵カバー及び操作レバーの配置を示す正面図（Ａ）、及びその側面図（Ｂ）である。
【図８】進行方向左側から見た分草部の拡大側面図である。
【図９】進行方向右側から見た分草部の拡大側面図である。
【図１０】分草部の拡大平面図である。
【図１１】分草部の拡大正面図である。
【発明を実施するための形態】
【００２１】
この発明の実施例を図面に基づき説明する。
【００２２】
図１は、コンバインの正面図を示すものであり、この走行車体１には、左右一対の走行クローラ２，２を備え、後部に搭載した脱穀部（脱穀装置）３の前方部に刈取部４を備え，刈取部４の横側部には運転席５や前側・側部の操作ボックス６等からなる運転操作部７を備え、更に、その運転操作部７の後方には脱穀粒を一時的に貯留するグレンタンクＧを装備している。更にグレンタンクGの穀粒を機外排出するための排出オーガAを備える。
【００２３】
刈取部４は、立毛する穀稈を左右に分草する分草体８，８…と、分草後の穀稈を引き起す穀稈引起し装置９と、引起し後の穀稈を刈り取るバリカン型の刈取装置１０と、刈取後の穀稈を掻込搬送する掻込搬送装置と、掻込搬送後の穀稈を揚上搬送して脱穀装置３のフィードチェンに受け継がせる穀稈搬送装置１２等からなり、車体に対し上下動可能な刈取縦フレーム１３を介して昇降する構成としている。
【００２４】
各分草体８，８…は、刈取装置１０側から前方に突設する分草支持フレーム１４の先端に取り付けられている。
【００２５】
刈取部４の未刈地側横側部には、外側方に張り出す分草作用姿勢と機体側に収納する収納姿勢とに切替可能なナローガイド１６が設けられている。
【００２６】
このナローガイド１６は、前ナローガイド１６ｆと後ナローガイド１６ｒとからなり、前ナローガイド１６ｆの前端部に設ける縦ピン部１６ａが、未刈地側（左側）の分草体８の背部位置で分草支持フレーム１４の前端部に固定するブラケット１５の孔部に回動自在に枢支ｘされる。該前ナローガイド１６ｆの後端と、後ナローガイド１６ｒの前端とは、略横向き軸部と環状受部との係合によって所定に屈曲自在に連結構成されている。後ナローガイド１６ｒの後端には支持環１６ｂを備え、該支持環１６ｂを走行車体１の側面に設けるレール１ａに係合し、もって後ナローガイド１６ｒを前後方向スライド可能に支持している。
【００２７】
前記ナローガイド１６は、その途中部を、第１リンク１７ａと第２リンク１７ｂからなる横幅方向に伸縮可能な屈伸リンク１７を介して張出し・収納自在に連係されている。そして、運転席横側部のサイド操作ボックス６近くに設けられた操作レバー１８によって遠隔操作できるように連動構成されている。
【００２８】
即ち、前ナローガイド１６ｆの後部側に設ける縦ピン部１６ｃに、第１リンク１７ａを回動自在に連結し、第２リンク１７ｂを、左側（未刈地側）の分草支持フレーム１５の基端側に取り付けられた中継ブラケット１９に上下方向に立設する状態に軸支された回動軸２０の下端に固定連結する。もってこれら第１リンク１７ａと第２リンク１７ｂとを互いに縦軸１７ｃ回りに回動自在に連結している。回動軸２０の下端部は螺子部２０ａと２面カットの平面部２０ｂ，２０ｂを形成してあり、このうち２面カットの平面部２０ｂ，２０ｂは、第２リンクの一端側に形成した小判型開口１７ｄに嵌合し、回動軸２０の下端螺子部２０ａにナット２０ｃを螺合するものである。したがってナローガイド１６が衝突破損するなどの際、その取付・取り外しを容易迅速に行える。また、第２リンク１７ｂに設ける前記縦軸１７ｃの近傍に、ストッパピン１７ｅを立設している。
【００２９】
したがって、回動軸２０が往復回動すると、小判型開口１７ｄに回動軸２０の平面部２０ｂが嵌合することによって一体化するため、第２リンク１７ｂは、これに連動して一体回動する。図５において、平面視で右方向に回動すると、第１リンク１７ａと第２リンク１７ｂが略直状になってナローガイド１６を車体１外方へ張り出す姿勢となし（図５中仮想線）、同じく左方向に回動すると、両リンクが屈曲状となってナローガイド１６を収納する姿勢となす（同実線）。ストッパピン１７ｅは第１リンク１７ａの端面に接触して、第１リンク１７ａと第２リンク１７ｂの過度の屈曲を規制してナローガイド１６の車体フレームとの接触を防止できる構成としている。
【００３０】
前記第２リンク１７ｂにおいて、平面視Ｓ字状に形成され、張出し時の刈刃駆動部１０ａのカバー１０ｂ等との接触を防止しながらナローガイド１６の張出し量を拡大できる。
【００３１】
次いで、前記回動軸２０を往復回動する操作レバー１８と連携手段としての操作ワイヤ２２の構成について説明する。前記回動軸２０の上端部にワイヤ連携用の連携ブラケット２１を一体的に設けている。該連携ブラケット２１の左右端部に、回転軸２０軸心をはさんで左右に２本の操作ワイヤ２２ａ，２２ｂの各一端を夫々連結する。なお、前記中継ブラケット１９は回動軸２０支持用の筒状部１９ａとワイヤ保持用プレート部１９ｂを備え、このうちワイヤ保持用プレート部１９ｂには操作ワイヤ２２ａ，２２ｂの各アウタワイヤ一端を係止している。
【００３２】
一方操作レバー１８を横軸２４回りに回動操作可能に設け、操作レバー１８と一体に成形する揺動アーム部１８ａの両端部に、２本の操作ワイヤ２２ａ，２２ｂの各他端を連結するものである。なお、操作レバー１８の横軸２４を支持するレバーブラケット２３は、皿状に成形され、後述のように、刈取部４の上部に位置するフレーム部に着脱自在に取り付けられ、レバーブラケット２３の折曲げ部２箇所に操作ワイヤ２２ａ，２２ｂのアウタワイヤの他端側を装着固定している。操作レバー１８は横軸２４回りに上下に揺動操作可能に設けられ、下方操作すると、操作ワイヤ２２ｂを引き回動軸２０を右方向回動させてナローガイド１６を伸び出し姿勢とする。また、操作レバー１８の上方操作によって操作ワイヤ２２ａを引き、回動軸２０は左方向に回動してナローガイド１６を収納側に移動させる。
【００３３】
２本の操作ワイヤ２２ａ，２２ｂは、引起し縦伝動パイプ２６、各引起し装置上部に横架する引起し横伝動ケース２７、該引起し横伝動ケース２７の中間部から後方に延出して刈取縦フレーム１３の基部側に連結保持する引起し支持フレーム２８、刈取穀稈搬送部１２の搬送経路の上方を覆う前防塵カバー３０の裏側に沿わせて配策している（図３）。
【００３４】
次いで、運転席５の側方で穀稈搬送経路の上部を覆う防塵カバーについて、該防塵カバー３０は、刈取部４のフレーム部に適宜固定される前防塵カバー３０と、そして前防塵カバー３０の上側に重合し前後方向に開閉スライド自在に構成されている後防塵カバー３１とからなる。このうち前防塵カバー３０の後部側を支持するカバー支持フレーム３２を立設している。すなわち、カバー支持フレーム３２は、前記引起支持フレーム２８の途中部に連結された脚部３２ａと前防塵カバー３０の内周に沿い補強兼支持用のカバー枠部３２ｂとからなっている。更に該カバー支持フレーム３２の上部左右には後防塵カバー３１の内周に固定した左右レール３１ａ，３１ａに嵌合して案内するガイドローラ３２ｃ，３２ｃを備える。後防塵カバー３１の後部において、カバー部を保持する筒状の横フレーム３１ｂを備え、車体１側において脱穀部３前側に備えたＵ型の固定用弾性保持部３ａに嵌合すべく回動支持フレーム３５によって支持される。すなわち、回動支持フレーム３５は、基端側３５ａを車台１に横軸周りに回動自在として設けられ、その上端部に前記後防塵カバー３１の前記横フレーム３１ｂを連設している。よって、後防塵カバー３１の上部後端側に設ける第１の取っ手３１ｄを後方側に引くと、後防塵カバー３１は、この左右レール３１ａ，３１ａが前記ガイドローラ３２ａ，３２ａに摺接しながら回動支持フレーム３５の回動軌跡に沿って円弧状に移動し、後防塵カバー３１は、最後部で横フレーム３１ｂが固定用弾性保持部３ａに嵌合する位置で保持される。この状態は、前防塵カバー３０に後続して後防塵カバー３１を配置するもので、穀稈搬送装置１２の上方を覆う閉じ位置とすることができる。前防塵カバー３０と後防塵カバー３１が重なる状態では穀稈搬送装置１２が露出する開き位置となる。後防塵カバー３１の開閉用取っ手は外側側面にも配置される。この第２の取っ手３１ｅは圃場に降りた作業者によっても開閉できるものである。
【００３５】
前記操作レバー１８を支持するレバーブラケット２３は、カバー支持フレーム３２に支持ステー３３を介して支持させた構成としている。すなわち、レバーブラケット２３に支持される操作レバー１８は後方に向き上下に操作可能に設けられる。このように支持構成されたレバーブラケット２３及び操作レバー１８は、後防塵カバー３１が後方に引かれるとこの後防塵カバー３１に覆われる関係となるよう、カバー支持フレーム３２に対しレバーブラケット２３の取付位置が正面視で右方に変位するよう前記支持ステー３３の途中部を折り曲げて構成している。これによって、レバーブラケット２３や操作ワイヤ２２一部は前防塵カバー３０に囲われていて、操作レバー１８部は逆Ｕ型の後防塵カバー３１の開き状態では露出し、閉じ状態では後防塵カバー３１に収納される状態となる。したがって、刈取作業中などのように、後防塵カバー３１が閉じている場合は、操作レバー１８も覆われることとなる。
【００３６】
なお、操作レバー１８を下方に回動操作すると、連携ブラケット２１の一端側に接続されたワイヤ２２ｂが操作レバー１８側に引っ張られると同時に、連携ブラケット２１の他端側に接続されたワイヤ２２ａが反操作レバー側に引き戻される。これにより、連携ブラケット２１が図５において時計方向に揺動し、回動軸２０と一体の第１リンク１７ａが外方に向けて回動する。かかる回動により、屈折状態の屈伸リンク１７が直線状に伸び切ってナローガイド１６を外方に押し出し、ナローガイド１６が外方に張り出して分草作用姿勢に切り替えられる。また、操作レバー１８を上方に回動操作すると、ワイヤ２２ａが操作レバー１８側に引っ張られると同時に、ワイヤ２２ｂが反操作レバー側に引き戻されることにより、連携ブラケット２１が反時計方向に揺動し、回動軸２０が同方向に回動して、これと一体の第１リンク１７ａが内方に向けて回動する。これにより、直線状態にあるリンク１７ａ，１７ｂが縮む方向に折れ曲がりナローガイド１６を内方に引き込み、ナローガイドが内方へ引かれて収納姿勢に切り替えられる。
【００３７】
前記の実施例では、操作レバー１８及びレバーブラケット２３を防塵カバー３０，３１で覆われる位置に配置したものであるから、防塵カバーと運転席のサイドカバーとの間に操作レバー１８を配置するための空間を確保する必要がなく、つまり隙間を生じないためわら屑や塵埃の飛散防止の効果が高まる。また操作レバー１８を操作する際は後防塵カバー３１を前側に移動させて操作レバーを露出状態とすることで容易に操作が可能であるが、後防塵カバー３１の開閉操作に基づいて容易に操作レバー１８の操作を可能になる。
【００３８】
また、連携手段としての操作ワイヤ２２の配策は、前防塵カバー３０の下面を通過させる必要があるが、本実施例では防塵カバー３０，３１の下面を通過するよう構成するので元々防塵カバー３０，３１の下面に操作レバー１８やレバーブラケット２３を配置するから当該配策が容易である。さらに、操作レバー１８の操作方向を上下方向に設定すると、運転席５からの操作の際、レバーへ荷重を掛けやすい。なお、連携手段として操作ワイヤ２２の例を示したが、リンク機構や連携ロッドを用いてもよい。
【００３９】
そして、操作レバー１８を支持するレバーブラケット２３は、前防塵カバー３０を支持するカバー支持フレーム３２に連結支持されるものであるから、カバー支持フレーム３２及び操作レバー１８は、メンテナンス時に、刈取部４を昇降調整しあるいは刈取部を車台１に対して縦軸回りに回動させる所謂刈取部開放オープンした場合に、刈取部４本体に連動するようになっている。したがって、メンテナンス時に、操作レバー１８をカバー支持フレーム３２からいちいち取り外す必要がなく、作業を効率的に行うことができる。
【００４０】
さらに、前記操作レバー１８の配置位置は、運転席５から後防塵カバー３１の上面後端側に配設する第１の取っ手３１ｄを引いて開いた状態の当該取っ手３１ｄ近傍に配置、例えば左手で握る取っ手３１ｄの左右幅範囲の下方位置に操作レバー１８が存在させておくことにより、容易に操作レバー１８位置を確認できる。
【００４１】
前記レバーブラケット２３について、平板状素材をプレス加工して浅い皿状に形成し、前記のように周囲部には操作ワイヤ２２のアウタワイヤの端部を係止できる凹部を形成するほか、操作レバー１８の上下操作経路に相当する箇所に、若干の立上り部に形成したストッパ２３ｓを形成し、操作レバー１８の操作位置から不測に他側操作位置への移動を防止できる構成としている（図５（Ｂ））。
【００４２】
次いで図８〜図１１に基づき、刈高センサの取付け構造について説明する。刈高センサについて例えば特開２０１５−２０８２７５号公報に開示があり、分草体を支持する分草支持フレームに、横軸回りに回動自在なセンサケースを備え、圃場面に接触体を追従させながらセンサケースを上下に回動させこの回動を該ケースに内蔵のポテンショメータで検出することによって刈高さを検出し、刈取部の上下昇降調整を行う構成としている。ところでこの種の刈高センサにおいては、穀稈列に進入し分草作用を行う分草体の直後に位置しているから常時穀稈列と接触するためその一部がセンサケースや支持部材に絡みやすく刈残しや刈跡不良を来たすが、以下に示す構成でこのような欠点を解消しようとする。
【００４３】
分草支持フレーム１４の先端側に分草杆４５を接続し、この分草杆４５の先端側を前上がりに傾斜させて取付け部４６を構成し、分草体８の後方の縦板部４７と分草杆４５との間に空間４８を形成し、この空間４８部に刈高センサユニット４９を配置させている。
刈高センサユニット４９は、そのセンサケース４９ａが縦板部４７に連結するブラケット５０に第一軸５１を介して上下回動自在に取り付けられ、常時は図外ばね作用をもって図８の右側回転に付勢され所定の位置で制止されている。センサケース４９ａの後部には第二軸５２をもって接触体５３が回動自在に設けられる。この接触体５３は、センサケース４９ａ内の図外ばねによって図外ストッパで静止される範囲に渡り、つまり図８において左回転に付勢されるものである。センサケース４９ａ内部には、第一軸５１中心に該センサケース４９ａの回転角度を取り込むリンク部とこの相対回転角度を入力して電気抵抗値を出力するポテンショメータを備え、刈高制御部はこの電気的抵抗値を入力し刈取部４を昇降連動する構成である。
【００４４】
機体前進時、接触体５３の先端が圃場に接触すると、接触体５３は第二軸５２に対して固定状態を維持したままセンサケース４９ａを第一軸５１中心に一体的に上方回動させ刈取部４を上昇連動する信号を出力する。反対に接触体５３の先端が圃場面から離れようとすると、センサケース４９ａが第一軸５１中心に下方回動し刈取部４を下降させる信号を出力する。
【００４５】
センサケース４９ａを支持する前記ブラケット５０は先端側を平面視Ｖ状に形成して、一方側板５０ａと他方側板５０ｂを備えており、分草体８の左右幅よりも平面視幅広に形成することで刈高センサユニット４９のセンサケース４９ａ等による穀稈の押し倒しを抑制できる。なお、前記第一軸５１や第二軸５２はブラケット５０の前記一方側板５０ａに連結される。
【００４６】
前記ブラケット５０の前側には平面視で後方広がりの三角状のガイド板５４を備える。且つこのガイド板５４はその先端部を分草体８の先端部と略一致させていることより、縦板部４７の前部からブラケット５０の外側端に向けて穀稈を左右に広げながら分草し、刈高センサユニット４９による穀稈の押し倒しを抑制できる。
【００４７】
さらに、ブラケット５０の途中部から刈取センサユニット４９の下部左右側面を通過して分草杆４５の分草支持フレーム１４との接続部付近まで延長させて左右のサイドガイド５５ａ，５５ｂを備える。平面視において、左右のサイドガイド５５ａ，５５ｂは棒状部材からなり前記ブラケット５０の一方側板５０ａと他方側板５０ｂに連続する状態に設けられる。そして、左右のサイドガイド５５ａ，５５ｂは平面視において、分草体８の外縁よりも外方に張り出している。
【００４８】
左右サイドガイド５５ａ，５５ｂの前端は非連続、つまり２本として、その前端側孔部に、前記ブラケット５０の内側に溶着する取付部材５６をもって着脱自在にボルト締結し、後端側をステー５５ｃを介して分草杆４５に着脱自在に締結している。なお、左右サイドガイド５５ａ，５５ｂの前端は連続状としてＶ型に折曲する形態でもよい。
【００４９】
上記のように左右のサイドガイド５５ａ，５５ｂを構成すると、ブラケット５０の後方から分草杆４５立ち上がり部を超える範囲で穀稈を左右に広げながら分草するため、刈高センサユニット４９による圃場面検出を損なわない。もって刈高さ制御を良好に維持し得て穀稈の刈残しや刈跡不ぞろいを防止できる。特に、分草体８が穀稈株に割り込んで進行することがあっても良好に穀稈は左右に押し広げられて刈高さセンサユニット４９の検出を維持できる。なお、サイドガイド５５ａ，５５ｂは圃場条件によっては取り外すことができ、穀稈の状況等をみて適宜に取り外して作業を行うことができる。
【符号の説明】
【００５０】
３  脱穀部
４  刈取部
５  運転席
９  引起し装置
１０  刈取装置
１２  搬送装置
１６  ナローガイド
１８  操作レバー
２２  操作ワイヤ
２３  レバーブラケット
３０  前防塵カバー
３１  後防塵カバー（開閉自在な防塵カバー）
３２  カバー支持フレーム
【図１】
2017175995.tif 000003
【図２】
2017175995.tif 000004
【図３】
2017175995.tif 000005
【図４】
2017175995.tif 000006
【図５】
2017175995.tif 000007
【図６】
2017175995.tif 000008
【図７】
2017175995.tif 000009
【図８】
2017175995.tif 000010
【図９】
2017175995.tif 000011
【図１０】
2017175995.tif 000012
【図１１】
2017175995.tif 000013